(57)【要約】      （修正有）【課題】ビデオカメラと外部発光装置とからなる撮像装置全体を小型にし、しかもビデオカメラと外部発光装置とを簡単に保持できて撮像作業を簡単にするビデオカメラ用ユニバーサルブラケットを提供する。【解決手段】アクセサリー１１をビデオカメラ１００に取り付け可能にするビデオカメラ用ユニバーサルブラケット１は、ビデオカメラ１００のレンズ支持部に着脱自在に装着される環状アダプター２と、アクセサリー取り付けシュー６が配設されたブラケット本体４であって環状アダプター２がレンズ支持部に装着された際、環状アダプター２とレンズ支持部とにより挟持されるブラケット本体４とを具えている。【選択図】図１
0003132314.tif 000002
【実用新案登録請求の範囲】
【請求項１】
アクセサリーをビデオカメラに取り付け可能にするビデオカメラ用ユニバーサルブラケットにおいて、
該ビデオカメラ用ユニバーサルブラケットは、
前記ビデオカメラのレンズを支持するレンズ支持部に着脱自在に装着される環状アダプターと、
アクセサリー取り付けシューが配設されたブラケット本体であって前記環状アダプターが前記レンズ支持部に装着された際、前記環状アダプターと前記レンズ支持部とにより挟持されるブラケット本体とを
具えていることを特徴とするビデオカメラ用ユニバーサルブラケット。
【請求項２】
前記ビデオカメラと接する前記ブラケット本体の接触面は、前記ビデオカメラの形状に沿って形成されていることを特徴とする請求項１に記載のビデオカメラ用ユニバーサルブラケット。
【請求項３】
前記ブラケット本体には、
前記ビデオカメラに対する前記アクセサリー取り付けシューの高さを昇降させる高さ調整手段が配設されていることを特徴とする請求項１に記載のビデオカメラ用ユニバーサルブラケット。
【請求項４】
前記ブラケット本体には、該ブラケット本体と前記ビデオカメラとの間に介在されるクッションが配設されていることを特徴とする請求項１に記載のビデオカメラ用ユニバーサルブラケット。
【考案の詳細な説明】
【技術分野】
【０００１】
本考案は、アクセサリーをビデオカメラに取り付け可能にするビデオカメラ用ユニバーサルブラケットに関するものである。
【背景技術】
【０００２】
従来のビデオカメラは、一般に、ファインダーを具えたビデオカメラ本体と、レンズを支持するレンズ支持部とを具え、このうちレンズ支持部は、ビデオカメラ本体から突出するように形成され、かつレンズを囲むように円筒形状に形成されている。
このレンズ支持部には、通常、その外周面に、フィルター取り付け用ねじ込み溝が形成されている。
この従来のビデオカメラでは、予めレンズフィルターを用意しておき、該レンズフィルターのねじ込み溝を、フィルター取り付け用ねじ込み溝に螺合させると、レンズフィルターをビデオカメラに装着できるとともに、ビデオカメラのレンズをレンズフィルターによって覆うことができる。
なお、レンズフィルターには、たとえば、偏光フィルターや、減光フィルター、色補正フィルターなどがある。
【考案の開示】
【考案が解決しようとする課題】
【０００３】
ところで、従来のビデオカメラでは、その内部に、例えばランプ等からなる内部発光装置が配設されており、通常は、該内部発光装置からの照射光を用いて撮像を行うようにしている。
しかし、暗所で撮像する場合には、ビデオカメラの内部発光装置では、光量が少なく、そのため良質な画像を得ることができない場合があった。  
そこで、ビデオカメラの内部発光装置とは別に、外部の発光装置（以下、「外部発光装置」という。）を設けるようにし、該外部発光装置による照射によって光量を確保し、これにより良質な画像を得るようにしている。
【０００４】
この外部発光装置をビデオカメラに取り付ける場合には、ビデオカメラと外部発光装置とを、予め用意したアームの両端に取り付け、該アームを三脚に取り付けるようにしていた。そのため、ビデオカメラと外部発光装置とからなる撮像装置全体が大型化し、しかもカメラと外部発光装置とをアームを介して保持することとなるため、撮像作業に不便であった。
【０００５】
この考案は、上述した事情に鑑み、ビデオカメラと外部発光装置とからなる撮像装置全体を小型にし、しかもカメラと外部発光装置とを簡単に保持できて撮像作業を簡単にするビデオカメラ用ユニバーサルブラケットを提供することを目的とする。
【課題を解決するための手段】
【０００６】
上述した課題を解決するため、本願の考案は、アクセサリーをビデオカメラに取り付け可能にするビデオカメラ用ユニバーサルブラケットにおいて、該ビデオカメラ用ユニバーサルブラケットは、前記ビデオカメラのレンズを支持するレンズ支持部に着脱自在に装着される環状アダプターと、アクセサリー取り付けシューが配設されたブラケット本体であって前記環状アダプターが前記レンズ支持部に装着された際、前記環状アダプターと前記レンズ支持部とにより挟持されるブラケット本体とを具えていることを特徴としている。
【考案の効果】
【０００７】
この本願の考案は、アクセサリーをビデオカメラに取り付け可能にするビデオカメラ用ユニバーサルブラケットにおいて、ビデオカメラ用ユニバーサルブラケットは、ビデオカメラのレンズを支持するレンズ支持部に着脱自在に装着される環状アダプターと、アクセサリー取り付けシューが配設されたブラケット本体であって環状アダプターがレンズ支持部に装着された際、環状アダプターとレンズ支持部とにより挟持されるブラケット本体とを具えているから、従来のものに比し、ビデオカメラと外部発光装置とからなる撮像装置全体を小型にでき、しかもビデオカメラと外部発光装置とを簡単に保持できて撮像作業を簡単にすることができる。
【考案を実施するための最良の形態】
【０００８】
以下、この考案に係るビデオカメラ用ユニバーサルブラケットの実施例を詳述する。
【０００９】
図１は、この考案に係る実施例のビデオカメラ用ユニバーサルブラケットをビデオカメラ（一点鎖線で示す）に装着した様子を示す概念斜視図である。
図１で示すように、この考案の第一実施例のビデオカメラ用ユニバーサルブラケット１（以下、単に「ユニバーサルブラケット」という。）は、ビデオカメラ１００に着脱自在に装着されるものである。
【００１０】
また、このユニバーサルブラケット１は、アクセサリー取り付けシュー（以下、単に「シュー」という。）６を具えており、該シュー６にアクセサリー１１を取り付けることによって、アクセサリー１１をビデオカメラ１００に取り付け可能にするものである。  
このアクセサリー１１としては、外部発光装置がある。また、この外部発光装置としては、たとえば、図１で示すように、白色ＬＥＤを具えた照明装置ユニット１１ａがある。図１では説明の便宜上、照明装置ユニット１１ａを一部破断して図示している。  
なお、符号１１３は、図示せぬレンズを露出させているレンズ窓である。  
また、図１乃至後述する図９では、同一部分を同一符号で示している。
【００１１】
図２は、図１の要部拡大概念断面図である。  
ユニバーサルブラケット１が装着されるビデオカメラ１００は、図示せぬレンズから取り込んだ画像を記録し液晶画面１１５（図８）に表示させるビデオカメラ本体１００ａ（図７）と、上記レンズを支持するレンズ支持部１００ｂとを具えている。  
このうち、レンズ支持部１００ｂは、ビデオカメラ本体１００ａから突出するように形成され、かつレンズを囲むように円筒形状に形成されている。このレンズ支持部１００ｂには、その内周面に、フィルター取り付け用ねじ込み溝（単に、「フィルター用ねじ溝」という。）１００ｃが形成されている。
【００１２】
図３は図１のユニバーサルブラケットの概念斜視図であり、図４は図１のユニバーサルブラケットの概念断面図である。  
ユニバーサルブラケット１は、レンズ支持部１００ｂ（図２）に着脱自在に装着される環状アダプター２と、シュー６が配設されたブラケット本体４とを具えている。
【００１３】
このうち、環状アダプター２は、上記レンズフィルター（図示しない）に代え、ビデオカメラ１００のレンズ支持部１００ｂに着脱自在に装着されるものである。図４で示すように、この環状アダプター２には、その外周面に、ねじ込み溝２ｂ（図２）が形成されている。
【００１４】
また図２で示すように、ブラケット本体４は、環状アダプター２がレンズ支持部１００ｂに装着された際に、環状アダプター２とレンズ支持部１００ｂとにより挟持される挟持部４ａを具えている。なお、この挟持部４ａは環状に形成されている。
【００１５】
さらに、ブラケット本体４は、図１で示すように、シュー６を配設したシュー搭載部４ｂと、該シュー搭載部４ｂと挟持部４ａとを連結する連結部４ｃとを具えている。  
このうち、シュー搭載部４ｂは、図４で示すように、シュー６を取り付けている取り付け部４ｄと、該取り付け部４ｄとビデオカメラ１００の上面１００ｄとの間に配置される台４ｆとを具え、台４ｆは、該ビデオカメラ本体１００ａと接する接触面４ｇを有している。
【００１６】
図５は、図１のユニバーサルブラケットの概念斜視図であって、特にビデオカメラ本体と接触するユニバーサルブラケットの接触面側が表れた様子を示す図である。  
図５で示すようにビデオカメラ本体１００ａと接するブラケット本体４の接触面４ｇは、該ビデオカメラ本体１００ａの上面１００ｄの形状に沿って形成されている。ビデオカメラ本体１００ａの上面１００ｄは図１で示すように凸状曲面に形成されており、接触面４ｇは該凸状曲面に沿うように形成されている。
【００１７】
また、ブラケット本体４には、接触面ｇに接するビデオカメラ本体１００ａの上面１００ｄに対し、シュー６の高さＨを昇降させる高さ調整手段２１が配設されている。  
図６は、図１のユニバーサルブラケットの動作を示す図であって、特に、高さ調整手段によってシューが初期状態から上昇している様子を示す概念断面図である。  
図６で示すように、高さ調整手段２１は、ブラケット本体４の接触面４ｇに突設された第一のネジ２２と、該第一のネジ２２に螺合する第二のネジ２３とを具えている。この第二のネジ２３は、第一のネジ２２を取り囲むように形成されており、該第二のネジ２３には、外部へ露出する操作部２４(図５)が固定されている。
【００１８】
図４で示す初期位置から、操作部２４を一方向に回転させると、第二のネジ２３が一方向に回転し、これにより図５及び図６で示すように、第二のネジ２３が接触面４ｇに対し上昇するので、シュー６は、該接触面４ｇに接するビデオカメラ本体１００ａの上面１００ｄ（図１）に対して上昇することとなる。  
また、この上昇した状態から操作部２４を他方向に回転させると、第二のネジ２３が他方向に回転して第二のネジ２３が接触面４ｇに対し下降するので、シュー６は、該接触面４ｇに接するビデオカメラ本体１００ａの上面１００ｄ（図１）に対し下降することとなる。したがって、この下降動作によって、ビデオカメラ本体１００ａに対するシュー６の高さＨを初期状態（図４）に戻すことができる。
【００１９】
次に、ユニバーサルブラケット１を、ビデオカメラ１００に装着する手順について説明する。
【００２０】
まず、ブラケット本体４の挟持部４ａをレンズ支持部１００ｂの外周面にその外側から嵌めるとともに、ブラケット本体４のシュー搭載部４ｂをレンズ支持部１００ｂの上面１００ｄに載置する。  
次に、ユニバーサルブラケット１のねじ込み溝２ｂを、レンズ支持部１００ｂに予め形成されているフィルター用ねじ溝１００ｃに螺合させる。  
すると、図１及び図２で示すように環状アダプター２がビデオカメラ１００に装着されるとともに、ブラケット本体４の挟持部４ａは、環状アダプター２の外面２ｅによってレンズ支持部１００ｂの外面１００ｅに押し付けられ、該挟持部４ａが環状アダプター２の外面２ｅとレンズ支持部１００ｂの外面１００ｅとに挟持される。  
このように挟持部４ａが挟持されると、ユニバーサルブラケット１を、ビデオカメラ１００に対し可及的に確実に装着できる。
【００２１】
図１で示すようにビデオカメラ１００に装着されたユニバーサルブラケット１にはシュー６が配設されているので、このシュー６に、アクセサリー１１を取り付けることができ、ビデオカメラ１００とアクセサリー１１とを簡単に保持でき、これにより撮像操作を簡単にすることができる。
【００２２】
特に、図７乃至図９で示すように、アクセサリー１１として外部発光装置、たとえば照明装置ユニット１１ａを選択し、該照明装置ユニット１１ａをシュー６に取り付けた場合には、照明装置ユニット１１ａを、ビデオカメラ１００に対し可及的に確実に装着できるとともに、ビデオカメラ１００を用いて暗所で撮像する場合にビデオカメラと外部発光装置とからなる撮像装置全体を、アームを用いていた従来に比し、小型にすることができ、しかもアームを用いていた従来に比し、カメラと外部発光装置とを簡単に保持できて撮像作業を簡単にすることができる。
【００２３】
なお上述した図７は、図１のユニバーサルブラケットのシューに照明装置ユニットを装着した様子を示す概念斜視図であって、特にビデオカメラの正面側から見た様子を示す図である。図８は、図１のユニバーサルブラケットのシューに照明装置ユニットが装着された様子を示す要部概念正面図である。図９は、図１のユニバーサルブラケットのシューに照明装置ユニットを装着した様子を、ビデオカメラの背面側から見た様子を示す概念斜視図である。  
図７及び図９では、バッテリー１１１と照明装置ユニット１１ａとをコード１１２によって接続し、バッテリー１１１（一点鎖線で示す）からの電力を照明装置ユニット１１ａに供給する様子を示している。なお、バッテリー１１１は、カメラ本体１００ａにバッテリーアダプタ１１４を介して着脱自在に装着されたものである。また符号１１５は、ビデオカメラ本体１００ａに取り付けられた液晶画面である。
【００２４】
また、このユニバーサルブラケット１によれば、照明装置ユニット等の外部発光装置をビデオカメラ１００のレンズ支持部１００ｂに取り付ける動作が簡単である。  
すなわち、ブラケット本体４の挟持部４ａをレンズ支持部１００ａの外周面にその外側から嵌めるとともにブラケット本体４のシュー搭載部４ｂをレンズ支持部１００ｂの上面１００ｄに載置する動作と、その後に、環状アダプター２のねじ込み溝２ｂを、レンズ支持部１００ｂに予め形成されているフィルター用ネジ溝１００ｃに螺合させる動作の２動作を行えばよく、アームを三脚に取り付けていた従来の動作は不要となって、外部発光装置の取り付けが簡単となる。
【００２５】
また、このユニバーサルブラケット１では、ねじ込み溝２ｂをフィルター用ネジ溝１００ｃに螺合させることによって、ブラケット本体４の挟持部４ａを環状アダプター２の外面２ｅとレンズ支持部１００ｂの外面１００ｅとで挟持するので、ユニバーサルブラケット１のシュー６をビデオカメラ１００に対し可及的に確実に水平方向に位置決めできる。
【００２６】
また、この実施例のユニバーサルブラケット１では、ビデオカメラ本体１００ａの上面１００ｄと接するブラケット本体４の接触面４ｇが、該上面１００ｄの形状に沿って形成されているから、ブラケット本体２が、ビデオカメラ１００に安定して配置されることとなり、これによりシュー６をビデオカメラ１００に対し可及的に確実に鉛直上下方向の位置決めできる。
【００２７】
なお、レンズ支承部１００ｂに装着されたユニバーサルブラケット１を離脱するには、上述した装着手順と逆の操作を行えばよい。
【００２８】
またシュー６のビデオカメラ１００の上面１００ｄに対する高さＨの調整は、ビデオカメラ１００の外形、特にフィルタ用ねじ溝１００ｃとビデオカメラ１００の上面１００ｄとの配置関係に応じ、高さ方向調整手段２１の操作部２４を操作すればよい。
【００２９】
また、この実施例のユニバーサルブラケット１では、シュー６のビデオカメラ１００の上面１００ｄに対する高さＨの調整は、上記した高さ調整手段２１によって行うこととしたが、該高さ調整手段２１の構成は上記した構成に限定しないし、また該高さ調整手段は配設しなくてもよい。
【００３０】
また、この実施例のユニバーサルブラケット１では、ブラケット本体４の台４ｆにはなんら配設物はないものとして説明したが、この考案のユニバーサルブラケット１はブラケット本体４に、該ブラケット本体４の台４ｆとビデオカメラ１００の上面１００ｄとの間に介在されるクッション（図示しない）が配設されているものであってもよい。  
このクッションを設けると、ビデオカメラ本体１００ａが、ブラケット本体４の台４ｆと接触した場合に生じる振動や損傷を可及的に防止できる。
【００３１】
なお、この実施例ではシュー６に取り付けるアクセサリー１１は、白色ＬＥＤからなる照明装置ユニット１１ａであることとして説明したが、照明装置ユニットとしては、白色ＬＥＤに限定されず、ランプ光源からなるものであってもよい。また、シュー１５に取り付けるアクセサリー１１は、ＬＥＤからなる照明装置ユニットであることとして説明したが、これに限定されず、いかなるストロボであってもよい。
【００３２】
また、この実施例のユニバーサルブラケット１では、環状アダプター２の外周部の外径Ｗは、ねじ込み溝２ａがビデオカメラ１００のフィルター用ねじ溝１００ｃに螺合するように形成されているが、外径Ｗのみが互いに異なる複数種類の環状アダプター５を予め用意しておき、その中から、ビデオカメラのフィルター用ねじ溝１００ｃに螺合する大きさの外径Ｗの環状アダプター５を選択し、その環状アダプター５をレンズ支持部１００ｂのフィルター用ねじ溝１００ｃに着脱自在に装着するようにしてもよい。  
例えば環状アダプター２の種類としては、外径Ｗが３７ミリの環状アダプター、外径Ｗが３４ミリの環状アダプター、外径Ｗが２７ミリの環状アタプターを予め用意し、その中から、ビデオカメラ１００のフィルタ用ねじ溝１００ｃの径に合う種類の環状アダプター２を一つ選択してビデオカメラ１００に装着するようにすればよい。このようにすれば、ユニバーサルブラケット１のブラケット本体４を代えることなく、フィルター用ねじ溝１００ｃの径の異なる複数種類のビデオカメラ１００に、この発明のユニバーサルブラケット１を用いることができる。
【産業上の利用可能性】
【００３３】
以上で説明したように、この考案のユニバーサルブラケットは、ビデオカメラのレンズ支持部に装着でき、また該ユニバーサルブラケットのシューに照明装置ユニットを取り付けることができるから、ビデオカメラと外部発光装置とからなる撮像装置全体を小型にし、カメラと外部発光装置とを簡単に保持でき撮像作業を簡単にするユニバーサルブラケットとして適している。
【図面の簡単な説明】
【００３４】
【図１】図１は、この考案に係る実施例のビデオカメラ用ユニバーサルブラケットをビデオカメラ（一点鎖線で示す）に装着した様子を示す概念斜視図である。
【図２】図２は、図１の要部拡大概念断面図である。
【図３】図３は、図１のユニバーサルブラケットの概念斜視図。
【図４】図４は、図１のユニバーサルブラケットの概念断面図である。
【図５】図５は、ビデオカメラ本体と接触するユニバーサルブラケットの接触面側が表れた様子を示す図である。
【図６】図６は、図１のユニバーサルブラケットの動作を示す図であって、特に、高さ調整手段によりシューが初期状態から上昇している様子を示す概念断面図である。
【図７】図７は、図１のユニバーサルブラケットのシューに照明装置ユニットを装着した様子を示す概念斜視図であって、特にビデオカメラの正面側から見た様子を示す図である。
【図８】図８は、図１のユニバーサルブラケットのシューに照明装置ユニットが装着された様子を示す要部概念正面図である。
【図９】図９は、図１のユニバーサルブラケットのシューに照明装置ユニットを装着した様子を、ビデオカメラの背面側から見た様子を示す概念斜視図である。
【符号の説明】
【００３５】
１…ビデオカメラ用ユニバーサルブラケット
２…環状アダプター
４…ブラケット本体
４ｇ…接触面
６…アクセサリー取り付けシュー
１１…アクセサリー
２１…高さ調整手段
１００…ビデオカメラ
１００ｂ…レンズ支持部
【図１】
0003132314.tif 000003
【図２】
0003132314.tif 000004
【図３】
0003132314.tif 000005
【図４】
0003132314.tif 000006
【図５】
0003132314.tif 000007
【図６】
0003132314.tif 000008
【図７】
0003132314.tif 000009
【図８】
0003132314.tif 000010
【図９】
0003132314.tif 000011